(57)【要約】【課題】化粧料が収容された容器本体と、容器本体に回動自在に結合された蓋体と、閉蓋時に容器本体と蓋体との間に介在させて蓋体への化粧料の付着を防止する保護シートとを備えたコンパクト容器において、保護シートの紛失を防止できると共に、使用時において保護シートが操作上及びスペース上の邪魔になりにくいコンパクト容器を提供すること。【解決手段】化粧料Ｐが収容された容器本体２と、容器本体２に回動自在に結合された蓋体３と、閉蓋時に容器本体２と蓋体３との間に介在させて蓋体３への化粧料Ｐの付着を防止する保護シート４とを備えたコンパクト容器１であって、蓋体３は、閉蓋時に容器本体２に係合して閉蓋状態を維持するフック部３２を備えており、保護シート４は、開蓋時にフック部３２を利用して保護シート４を蓋体３に固定する固定手段５を備えている。【選択図】図３
2008154642.tif 000002
【特許請求の範囲】
【請求項１】
化粧料が収容された容器本体と、該容器本体に回動自在に結合された蓋体と、閉蓋時に該容器本体と該蓋体との間に介在させて該蓋体への化粧料の付着を防止する保護シートとを備えたコンパクト容器であって、
前記蓋体は、閉蓋時に前記容器本体に係合して閉蓋状態を維持するフック部を備えており、
前記保護シートは、開蓋時に前記フック部を利用して該保護シートを前記蓋体に固定する固定手段を備えているコンパクト容器。
【請求項２】
前記蓋体の内面における前記フック部の下方に鏡が設けられている請求項１記載のコンパクト容器。
【請求項３】
前記保護シートに、化粧料に関する情報が表示されている請求項１又は２に記載のコンパクト容器。
【請求項４】
前記容器本体には複数種類の化粧料が収容されている請求項１〜３の何れかに記載のコンパクト容器。
【請求項５】
前記情報は、複数種類の化粧料の使用順番、内容又は塗布位置である請求項４記載のコンパクト容器。
【発明の詳細な説明】
【技術分野】
【０００１】
本発明は、化粧料を収容するコンパクト容器に関する。
【背景技術】
【０００２】
コンパクト容器は、アイシャドウ、口紅、頬紅（チーク）、ファンデーション等の化粧料を収容する容器で、取り扱いやすいコンパクトな形状を有している。また、コンパクト容器は、一般的に、化粧料が収容された容器本体と容器本体に回動自在に結合された蓋体とを備えており、閉蓋時に蓋体への化粧料の付着を防止するために、容器本体と蓋体との間に保護シートを介在させている。
【０００３】
保護シートは、化粧料を使用する（化粧する）度に、容器本体の上面から取り除き、使用後には再度、容器本体の上面に配設する必要があるが、容器本体の上面から取り除いた後に紛失しやすかった。
このような保護シートの紛失を防止するために、保護シートを容器本体から着脱不能に連結したコンパクト容器が提案されている（例えば、下記特許文献１，２参照）。
【０００４】
【特許文献１】特開２００５−２３０４５２号公報
【特許文献２】特開２００５−２４５７５８号公報
【発明の開示】
【発明が解決しようとする課題】
【０００５】
しかし、特許文献１，２に記載のコンパクト容器においては、保護シートが容器本体から着脱不能に連結されているため、使用条件によっては、保護シートが邪魔になる場合があり、使用感が低い。例えば、特許文献１記載のコンパクト容器においては、保護シートを起立させるため、化粧料を塗布ブラシや化粧パフに付着させる際に、起立した保護シートが操作上の邪魔になる場合がある。また、特許文献２記載のコンパクト容器においては、保護シートを容器本体の外側に回動させて机等に載置するため、机等の上面に保護シートのスペースを確保する必要があり、スペース上の邪魔になりやすい。
【０００６】
従って、本発明の目的は、化粧料が収容された容器本体と、容器本体に回動自在に結合された蓋体と、閉蓋時に容器本体と蓋体との間に介在させて蓋体への化粧料の付着を防止する保護シートとを備えたコンパクト容器において、保護シートの紛失を防止できると共に、使用時において保護シートが操作上及びスペース上の邪魔になりにくいコンパクト容器を提供することにある。
【課題を解決するための手段】
【０００７】
本発明は、化粧料が収容された容器本体と、該容器本体に回動自在に結合された蓋体と、閉蓋時に該容器本体と該蓋体との間に介在させて該蓋体への化粧料の付着を防止する保護シートとを備えたコンパクト容器であって、前記蓋体は、閉蓋時に前記容器本体に係合して閉蓋状態を維持するフック部を備えており、前記保護シートは、開蓋時に前記フック部を利用して該保護シートを前記蓋体に固定する固定手段を備えているコンパクト容器を提供することにより、上記目的を達成したものである。
【発明の効果】
【０００８】
本発明のコンパクト容器によれば、化粧料が収容された容器本体と、容器本体に回動自在に結合された蓋体と、閉蓋時に容器本体と蓋体との間に介在させて蓋体への化粧料の付着を防止する保護シートとを備えたコンパクト容器において、保護シートの紛失を防止できると共に、使用時において保護シートが操作上及びスペース上の邪魔になりにくい。
【発明を実施するための最良の形態】
【０００９】
以下、本発明のコンパクト容器について、その好ましい一実施形態である第１実施形態に基づき図面を参照しながら説明する。
図１には、第１実施形態のコンパクト容器の斜視図が示されており、（ａ）は容器本体から保護シートを取り除いた状態を示す図で、（ｂ）は保護シートを示す図である。図２には、容器本体の上面に保護シートを配設した状態の斜視図が示されている。
【００１０】
第１実施形態のコンパクト容器１は、図１及び図２に示すように、化粧料Ｐが収容された容器本体２と、容器本体２に回動自在に結合された蓋体３と、閉蓋時に容器本体２と蓋体３との間に介在させて蓋体３への化粧料Ｐの付着を防止する保護シート４とを備えている。
【００１１】
容器本体２の大きさは、例えば、長さ（奥行き）が３０〜８０ｍｍで、幅が５０〜１５０ｍｍで、厚みが５〜３０ｍｍである。
容器本体２には複数種類（本実施形態では３種）の化粧料Ｐが収容されている。化粧料には、アイシャドウ、口紅、頬紅（チーク）等の狭義の化粧料の他、ファンデーション等の広義の化粧料が含まれる。
容器本体２は、３個の凹嵌部２２を備えており、３個の凹嵌部２２に、化粧料Ｐが収容された中皿２３をそれぞれ設置できるようになっている。中皿２３への化粧料Ｐの収容は、充填、流し込み等により行われる。
【００１２】
凹嵌部２２の形状及び大きさは、化粧料Ｐを収容する中皿２３の形状及び大きさに応じて適宜設定されるが、例えば、凹嵌部２２の形状は台形等の各種四角形であり、凹嵌部２２の面積は１００〜３０００ｍｍ2で、凹嵌部２２の深さは３〜２０ｍｍである。
中皿２３の形状及び大きさは、１個のコンパクト容器１に必要とされる化粧料Ｐの量等に応じて適宜設定され、凹嵌部２２に隙間なく設置される程度に、凹嵌部２２よりも若干小さい形状を有していることが好ましい。
【００１３】
容器本体２の内面には、更に、塗布ブラシ等の小物Ｑを収容する小物入れ部２４が設けられている。
容器本体２の奥側の周縁部にはヒンジ部１１が設けられており、ヒンジ部１１を介して容器本体２と蓋体３とはヒンジ結合されている。
容器本体２の手前側の周縁部（ヒンジ部１１とは反対側）には、蓋係止部材２５が設けられており、蓋係止部材２５は、蓋体３のフック部３２（後述）と係合自在になっている。
尚、容器本体２及び蓋体３において「手前側」及び「奥側」とは、それぞれ閉蓋状態において、通常、使用者に向く側及びその反対側を意味する。
【００１４】
蓋体３は、例えば、長さ（奥行き）が３０〜８０ｍｍで、幅が５０〜１５０ｍｍで、厚みが５〜３０ｍｍである。
蓋体３は、その基材となる蓋体本体３１と、閉蓋時に容器本体２の蓋係止部材２５に係合して閉蓋状態を維持するフック部３２と、鏡３３とを備えている。蓋体３は、フック部３２と容器本体２の蓋係止部材２５との係合を解いた状態で、ヒンジ部１１を回動軸として、蓋体３の手前側と容器本体２の手前側とを離反できるようになっている。
【００１５】
蓋体本体３１の外面は蓋体３の外面を形成し、蓋体本体３１の内面にはフック部３２及び鏡３３が設けられている。
フック部３２は、蓋体本体３１の手前側における内面の幅方向中央部に、内面側に突出するように設けられている。
鏡３３は、蓋体本体３１の内面におけるフック部３２の下方（奥側）に設けられている。
閉蓋時には、容器本体２に収容された化粧料Ｐの上面と、蓋体３の鏡３３の鏡面との間には若干の隙間が生じるようになっている。
【００１６】
保護シート４は、少なくとも容器本体２に収容された化粧料Ｐを被覆する形状及び大きさを有しており、小物入れ部２４も被覆する形状及び大きさを有していることが好ましく、本実施形態のように、容器本体２の上面（内面）のほぼ全域を被覆可能な形状及び大きさを有していることが更に好ましい。
保護シート４の大きさは、例えば、長さ（奥行き）が３０〜８０ｍｍで、幅が５０〜１５０ｍｍで、厚みが０．１〜５ｍｍである。
保護シート４は、例えば、樹脂フィルム、金属板から形成される。樹脂フィルムは、透明（無色透明／有色透明）、半透明及び不透明の何れでもよいが、保護シート４を容器本体２の上面に配設した状態において保護シート４を通じて化粧料Ｐを視認できるように、透明であることが好ましい。
【００１７】
保護シート４には、凹嵌部２２の形状及び化粧料Ｐの上面の高さに応じた形状及び凹凸（凹んでいる場合及び突出している場合の両方がある）を有する化粧料保護部４２が設けられている。また、小物入れ部２４の形状及びそれに収納される小物Ｑの形状等に応じた形状及び凹凸を有する小物保護部４４が設けられている。
保護シート４の奥行き方向の一端部の中央部には、外方に突出した摘み部４３が設けられている。保護シート４の奥行き方向の他端部の中央部には、内方に凹んだ凹欠部４５が設けられており、凹欠部４５の存在により、保護シート４を容器本体２の上面に配設したときに、容器本体２の蓋係止部材２５が露出する。
【００１８】
保護シート４は、図３に示すように、開蓋時にフック部３２を利用して保護シート４を蓋体３に固定する固定手段５を備えている。本実施形態における固定手段５は、小物保護部４４に所定形状を切れ込みを設けることで形成されている。詳細には、該切れ込みは、台形の上底（下底より短い底辺）及び斜辺が連続した形状を有しており、これにより、台形の上底及び斜辺が連続した形状状の内周縁部５１及び台形状の舌片部５２が形成されている。舌片部５２は、台形の下底に相当する線を折り曲げ線として、その周辺の小物保護部４４から折れ曲がり、その結果、小物保護部４４に内周縁部５１が現れる。
【００１９】
保護シート４には、化粧料Ｐに関する情報（図示せず）が表示されている。特に、化粧料保護部４２毎にそれに対応する化粧料Ｐに関する情報が表示されていると、対応する化粧料Ｐが一目瞭然である点で好ましい。化粧料Ｐに関する情報としては、特に制限はないが、例えば、複数種類の化粧料Ｐの使用順番、内容、塗布位置が挙げられる。化粧料の使用順番とは、化粧料毎に定められた使用する（塗布する）順番のことである。化粧料の内容とは、その目的、色等のことである。化粧料の塗布位置とは、化粧料毎に定められた塗布する位置のことである。
【００２０】
本実施形態のコンパクト容器１は、例えば次のように使用することができる。開蓋すると、図２に示すように、容器本体２の上面を被覆している保護シート４及び蓋体３の鏡３３が露出する。閉蓋時には、保護シート４により化粧料Ｐが蓋体３の鏡３３に付着することが防止されていた。
次に、図１（ａ）に示すように、容器本体２の上面から保護シート４を取り除き、化粧料Ｐ及び小物Ｑを露出させる。
【００２１】
次いで、図３に示すように、保護シート４の舌片部５２を押圧して内周縁部５１から離間させて、内周縁部５１を蓋体３のフック部３２の下端部に係止すると共に、舌片部５２を蓋体３の外面側に位置させて、舌片部５２とその周辺の小物保護部４４との間で、蓋体本体３１及び鏡３３を挟持する。
【００２２】
本実施形態においては、このような形態で、蓋体３に保護シート４を固定することができる。その後、通常の使用方法に従って、コンパクト容器１を使用することができる。例えば、鏡３３により、使用者の顔における化粧料Ｐの塗布位置を確認しながら、塗布ブラシＱを用いて、所定位置に化粧料Ｐを塗布することができる。
【００２３】
本実施形態のコンパクト容器１によれば、以下の各効果が奏される。保護シート４は、開蓋時にフック部３２を利用して保護シート４を蓋体３に固定する固定手段５を備えている。そのため、保護シート４の紛失を防止することができる。また、保護シート４は、通常、開いた蓋体３から上方に延出する形で固定されることになるため、使用時において保護シート４が操作上及びスペース上の邪魔になりにくい。
【００２４】
更に、保護シート４に、複数種類の化粧料Ｐの使用順番、内容、塗布位置等の化粧料に関する情報が表示されており、保護シート４を蓋体３に固定した状態において、これらの情報を視認することができるため、パッケージや説明書に記載されている化粧料に関する情報を別途確認する必要がなく、保護シート４に表示された情報を視認しながら、化粧作業を行うことができるため便利である。
【００２５】
次に、本発明のコンパクト容器の別の実施形態について説明する。別の実施形態については、第１実施形態と異なる点について説明し、同様の点については説明を省略する。特に説明しない点については、第１実施形態についての説明が適宜適用される。別の実施形態においても、第１実施形態と同様の効果が奏される。
【００２６】
第２実施形態のコンパクト容器１は、第１実施形態に比して、図４に示すように、固定手段５の構成が異なる。その他の構成は第１実施形態と同様である。
具体的には、第２実施形態における固定手段５は、図４に示すように、小物保護部４４に設けられた開口部である。該開口部の形状は、フック部３２を利用して保護シート４を蓋体３に固定することができれば、特に制限はなく、例えば、長方形、台形である。
【００２７】
第２実施形態における保護シート４によれば、図４に示すように、開口部からなる固定手段５をフック部３２に係止して、保護シート４を蓋体３に固定することができ、第１実施形態と同様の効果が奏される。第２実施形態における保護シート４によれば、第１実施形態における保護シート４に比して、保護シート４と蓋体３との固定安定性が若干劣るものの、その反面、固定手段５の加工が容易で、保護シート４と蓋体３との固定作業性が高いという利点がある。
【００２８】
第３実施形態のコンパクト容器１は、第１実施形態に比して、図５に示すように、フック部３２及び固定手段５の構成が異なる。その他の構成は第１実施形態と同様である。
具体的には、第３実施形態においては、フック部３２は、図５に示すように、環状又は鉤状となっており、その中心部に挿通孔が形成されている。また、固定手段５は、該挿通孔に挿通し得る挿通片からなる。該挿通片は、凹欠部４５から延出しており、挿通片の先端の位置は、保護シート４における凹欠部４５以外の領域の周縁部と略一致している。該挿通片の形状は、該挿通片をフック部３２の前記挿通孔に挿通したときに保護シート４を蓋体３に固定することができれば、特に制限はなく、例えば、長方形、台形である。
【００２９】
第３実施形態における保護シート４によれば、図５に示すように、挿通片からなる固定手段５をフック部３２の挿通孔に挿通して、保護シート４を蓋体３に固定することができ、第１実施形態と同様の効果が奏される。第３実施形態における保護シート４によれば、第１実施形態における保護シート４に比して、保護シート４と蓋体３との固定安定性が若干劣るものの、その反面、固定手段５の加工が容易で、保護シート４と蓋体３との固定作業性が高いという利点がある。
【００３０】
本発明のコンパクト容器は、前述した実施形態に制限されることなく、適宜変更が可能である。
例えば、固定手段５の構成は、前述の各実施形態における固定手段５の構成に制限されない。固定手段５が設けられる位置は、小物保護部４４や保護シート４の周縁部に制限されない。容器本体２には１種類の化粧料のみが収容されていてもよい。
小物入れ部２４には、塗布ブラシ以外にも例えば化粧パフを収納することができる。小物入れ部２４はなくてもよい。
【図面の簡単な説明】
【００３１】
【図１】図１は、本発明の第１実施形態のコンパクト容器を示す斜視図で、（ａ）は容器本体から保護シートを取り除いた状態を示す図で、（ｂ）は保護シートを示す図である。
【図２】図２は、本発明の第１実施形態のコンパクト容器について、容器本体に保護シートを配設した状態で示す斜視図である。
【図３】図３（ａ）は、本発明の第１実施形態のコンパクト容器の使用形態を示す斜視図で、図３（ｂ）は、図３（ａ）に示す使用形態の一部の中央縦断面図である。
【図４】図４は、本発明の第２実施形態のコンパクト容器の使用形態を示す斜視図である〔図３（ａ）対応図〕。
【図５】図５は、本発明の第３実施形態のコンパクト容器の使用形態を示す斜視図である〔図３（ａ）対応図〕。
【符号の説明】
【００３２】
１  コンパクト容器
１１  ヒンジ部
２  容器本体
２２  凹嵌部
２５  蓋係止部材
３  蓋体
３１  蓋体本体
３２  フック部
３３  鏡
４  保護シート
４２  化粧料保護部
４４  小物保護部
５  固定手段
Ｐ  化粧料
Ｑ  小物（塗布ブラシ）
【図１】
2008154642.tif 000003
【図２】
2008154642.tif 000004
【図３】
2008154642.tif 000005
【図４】
2008154642.tif 000006
【図５】
2008154642.tif 000007